(57)【要約】【課題】ＦＭトランスミッタの動作検査に必要な検査作業や検査時間を軽減する。【解決手段】制御装置１からの送信指示により、ＦＭトランスミッタ機器Ｔ１〜Ｔ３のうちの任意の組合せから、所定の検査基準に応じた周波数間隔を持つ異なる無線周波数で互いに異なる音声信号を同時に送信させ、ＦＭ受信器Ｒ０〜Ｒ４により、これらＦＭトランスミッタ機器から送信された音声信号を無線周波数ごとにそれぞれ受信し、切替装置３により、無線周波数ごとに受信した音声信号のいずれか１つを切替選択し、切替選択された選択音声信号を出力結果としてスピーカ４から音声出力する。【選択図】  図１
2008172308.tif 000002
【特許請求の範囲】
【請求項１】
任意の無線周波数で音声信号を送信するＦＭトランスミッタを有する複数のＦＭトランスミッタ機器を検査するＦＭトランスミッタ機器検査システムで用いられるＦＭトランスミッタ機器検査方法であって、
前記ＦＭトランスミッタ機器のうちの任意の組合せから、所定の検査基準に応じた周波数間隔を持つ異なる無線周波数で互いに異なる音声信号を同時に送信する送信ステップと、
前記ＦＭトランスミッタ機器から送信された音声信号を前記無線周波数ごとにそれぞれ受信する受信ステップと、
前記無線周波数ごとに受信した音声信号のいずれか１つを切替選択する切替ステップと、
切替選択された選択音声信号を出力結果としてスピーカから音声出力する出力ステップと
を備えることを特徴とするＦＭトランスミッタ機器検査方法。
【請求項２】
任意の無線周波数で音声信号を送信するＦＭトランスミッタを有する複数のＦＭトランスミッタ機器を検査するＦＭトランスミッタ機器検査システムで用いられるＦＭトランスミッタ機器検査方法であって、
前記ＦＭトランスミッタ機器のうちの任意の組合せから、所定の検査基準に応じた周波数間隔を持つ異なる無線周波数で互いに異なる音声周波数の音声信号を同時に送信する送信ステップと、
前記ＦＭトランスミッタ機器から送信された音声信号を前記無線周波数ごとにそれぞれ受信する受信ステップと、
前記無線周波数ごとに受信した音声信号のいずれか１つを切替選択する切替ステップと、
切替選択された選択音声信号を識別し出力結果として出力する出力ステップと
を備えることを特徴とするＦＭトランスミッタ機器検査方法。
【請求項３】
請求項１または２に記載のＦＭトランスミッタ機器検査方法において、
前記各ＦＭトランスミッタ機器から送信した各音声信号と前記出力結果が示す前記選択音声信号との一致／不一致に基づいて、前記ＦＭトランスミッタ機器の良否を判定する判定ステップと、
前記判定結果を表示部で表示する表示ステップと
をさらに備えることを特徴とするＦＭトランスミッタ機器検査方法。
【請求項４】
請求項３に記載のＦＭトランスミッタ機器検査方法において、
前記送信ステップにより、前記周波数間隔で並ぶ第１および第２の無線周波数をそれぞれ用いる２つＦＭトランスミッタ機器のうち、第１のＦＭトランスミッタ機器から第１の無線周波数による第１の音声信号と、第２のＦＭトランスミッタ機器から第２の無線周波数による第２の音声信号とを同時に送信し、
前記判定ステップにより、
切替ステップで選択された第１の無線周波数のＦＭ受信器からの音声信号を示す選択音声信号が第１の音声信号と一致しなかった場合、第２のＦＭトランスミッタ機器からの第２の音声信号の送信を停止し、
前記切替装置で選択された前記選択音声信号が第１の音声信号と一致しなかった場合は第１のＦＭトランスミッタ機器を不良と判定し、前記選択音声信号が第１の音声信号と一致した場合は第２のＦＭトランスミッタ機器を不良と判定する
ことを特徴とするＦＭトランスミッタ機器検査方法。
【請求項５】
請求項３に記載のＦＭトランスミッタ機器検査方法において、
前記送信ステップにより、前記周波数間隔で並ぶ第１、第２、第３の無線周波数をそれぞれ用いる３つのＦＭトランスミッタ機器のうち、第１のＦＭトランスミッタ機器から第１の無線周波数による第１の音声信号と、第２のＦＭトランスミッタ機器から第２の無線周波数による第２の音声信号と、第３のＦＭトランスミッタ機器から第３の無線周波数による第３の音声信号とを同時に送信し、
前記判定ステップにより、
前記切替装置で選択された第２の無線周波数のＦＭ受信器からの音声信号を示す選択音声信号が第２の音声信号と一致しなかった場合、第１のＦＭトランスミッタ機器からの第１の音声信号の送信を停止させる送信停止指示を出力し、
前記選択音声信号が第２の音声信号と一致した場合は第１のＦＭトランスミッタ機器を不良と判定し、前記選択音声信号が第２の音声信号と一致しなかった場合は第３のＦＭトランスミッタ機器からの第１の音声信号の送信を停止させる指示を出力し、
前記選択音声信号が第２の音声信号と一致した場合は第３のＦＭトランスミッタ機器を不良と判定し、前記選択音声信号が第２の音声信号と一致しなかった場合は第２のＦＭトランスミッタ機器を不良と判定する
ことを特徴とするＦＭトランスミッタ機器検査方法。
【請求項６】
任意の無線周波数で音声信号を送信するＦＭトランスミッタを有する複数のＦＭトランスミッタ機器を検査するＦＭトランスミッタ機器検査システムであって、
前記ＦＭトランスミッタ機器のうちの任意の組合せに対して、所定の検査基準に応じた周波数間隔を持つ異なる無線周波数で互いに異なる音声信号を同時に送信させる送信指示を出力する検査制御部を有する制御装置と、
前記無線周波数ごとに設けられ、当該無線周波数で前記ＦＭトランスミッタ機器から送信された音声信号をそれぞれ受信する複数のＦＭ受信器と、
前記各ＦＭ受信器で受信された音声信号のいずれか１つを切替選択する切替装置と、
前記切替装置で選択された選択音声信号を出力結果として音声出力するスピーカと
を備えることを特徴とするＦＭトランスミッタ機器検査システム。
【請求項７】
任意の無線周波数で音声信号を送信するＦＭトランスミッタを有する複数のＦＭトランスミッタ機器を検査するＦＭトランスミッタ機器検査システムであって、
前記ＦＭトランスミッタ機器を制御して、前記ＦＭトランスミッタ機器のうちの任意の組合せに対して、所定の検査基準に応じた周波数間隔を持つ異なる無線周波数で互いに異なる音声信号を同時に送信させる送信指示を出力する検査制御部を有する制御装置と、
前記無線周波数ごとに設けられ、当該無線周波数で前記ＦＭトランスミッタ機器から送信された音声信号をそれぞれ受信する複数のＦＭ受信器と、
前記各ＦＭ受信器で受信された音声信号のいずれか１つを切替選択する切替装置と、
前記切替装置で選択された選択音声信号を識別し出力結果として出力する音声信号検出装置と
を備えることを特徴とするＦＭトランスミッタ機器検査システム。
【請求項８】
請求項６または７に記載のＦＭトランスミッタ機器検査システムにおいて、
前記検査制御部は、前記切替装置に対して任意の前記ＦＭ受信器からの音声信号を選択させる切替指示を出力することを特徴とするＦＭトランスミッタ機器検査システム。
【請求項９】
請求項６または７に記載のＦＭトランスミッタ機器検査システムにおいて、
前記制御装置は、前記出力結果に応じた操作を入力する操作入力部と、前記ＦＭトランスミッタ機器の良否を示す判定結果を表示する表示部とをさらに有し、
前記検査制御部は、前記各ＦＭトランスミッタ機器から送信した各音声信号と前記操作で入力された前記出力結果が示す前記選択音声信号との一致／不一致に基づいて、前記ＦＭトランスミッタ機器の良否を判定し、その判定結果を前記表示部で表示する
ことを特徴とするＦＭトランスミッタ機器検査システム。
【請求項１０】
請求項７に記載のＦＭトランスミッタ機器検査システムにおいて、
前記制御装置は、前記音声信号検出装置から出力された前記出力結果を取得する入出力部と、前記ＦＭトランスミッタ機器の良否を示す判定結果を表示する表示部とをさらに有し、
前記検査制御部は、前記各ＦＭトランスミッタ機器から送信した各音声信号と前記入出力部で取得した前記出力結果が示す前記選択音声信号との一致／不一致に基づいて、前記ＦＭトランスミッタ機器の良否を判定し、その判定結果を前記表示部で表示する
ことを特徴とするＦＭトランスミッタ機器検査システム。
【請求項１１】
請求項９または１０に記載のＦＭトランスミッタ機器検査システムにおいて、
前記検査制御部は、
前記周波数間隔で並ぶ第１および第２の無線周波数をそれぞれ用いる第１および第２のＦＭトランスミッタ機器に対して、第１のＦＭトランスミッタ機器から第１の無線周波数による第１の音声信号と、第２のＦＭトランスミッタ機器から第２の無線周波数による第２の音声信号とを同時に送信させる送信指示をそれぞれ出力し、
前記切替装置で選択された第１の無線周波数のＦＭ受信器からの音声信号を示す選択音声信号が第１の音声信号と一致しなかった場合、第２のＦＭトランスミッタ機器からの第２の音声信号の送信を停止させる指示を出力し、
前記切替装置で選択された前記選択音声信号が第１の音声信号と一致しなかった場合は第１のＦＭトランスミッタ機器を不良と判定し、前記選択音声信号が第１の音声信号と一致した場合は第２のＦＭトランスミッタ機器を不良と判定する
ことを特徴とするＦＭトランスミッタ機器検査システム。
【請求項１２】
請求項９または１０に記載のＦＭトランスミッタ機器検査システムにおいて、
前記周波数間隔で並ぶ第１、第２、第３の無線周波数をそれぞれ用いる第１、第２、第３のＦＭトランスミッタ機器に対して、第１のＦＭトランスミッタ機器から第１の無線周波数による第１の音声信号と、第２のＦＭトランスミッタ機器から第２の無線周波数による第２の音声信号と、第３のＦＭトランスミッタ機器から第３の無線周波数による第３の音声信号とを同時に送信させる送信指示をそれぞれ出力し、
前記切替装置で選択された第２の無線周波数のＦＭ受信器からの音声信号を示す選択音声信号が第２の音声信号と一致しなかった場合、第１のＦＭトランスミッタ機器からの第１の音声信号の送信を停止させる送信停止指示を出力し、
前記選択音声信号が第２の音声信号と一致した場合は第１のＦＭトランスミッタ機器を不良と判定し、前記選択音声信号が第２の音声信号と一致しなかった場合は第３のＦＭトランスミッタ機器からの第１の音声信号の送信を停止させる指示を出力し、
前記選択音声信号が第２の音声信号と一致した場合は第３のＦＭトランスミッタ機器を不良と判定し、前記選択音声信号が第２の音声信号と一致しなかった場合は第２のＦＭトランスミッタ機器を不良と判定する
ことを特徴とするＦＭトランスミッタ機器検査システム。
【発明の詳細な説明】
【技術分野】
【０００１】
本発明は、無線機器検査技術に関し、特に音声信号を無線送信するＦＭトランスミッタを有するＦＭトランスミッタ機器の検査技術に関する。
【背景技術】
【０００２】
半導体集積回路技術の発展に伴い、ＣＰＵやメモリだけでなく、オーディオ回路や無線通信回路の集積化が進み、デジタルオーディオプレーヤーと呼ばれる、高品質かつ多機能で安価な携帯型の音楽再生装置が数多く提供されている。このような音声再生装置では、予め記憶部に保存されている音声データを再生し音声信号としてヘッドホンへ出力する機能のほか、内蔵するＦＭトランスミッタで音声信号をＦＭで無線送信し、ＦＭラジオで受信してスピーカから出力させる機能を有しているものがある（例えば、特許文献１など参照）。また、携帯電話機にも、上記の同等のＦＭトランスミッタを内蔵して音声信号をＦＭで無線送信する機能を有しているものもある。
【０００３】
このようなＦＭトランスミッタを内蔵する音楽再生装置や携帯電話機などのＦＭトランスミッタ機器は、製造時にＦＭトランスミッタの動作、無線周波数のずれ、送信音声、送信パワーなどを検査する必要がある。
従来、このようなＦＭトランスミッタ機器のＦＭトランスミッタの動作を検査する場合、送信信号の無線周波数や送信出力をスペクトラムアナライザやパワーメーターで検出して、例えば無線周波数や送信出力が検査基準に合致しているか否かを判断するものとなっていた。
【０００４】
【特許文献１】特開２００２−１００９９７号公報
【発明の開示】
【発明が解決しようとする課題】
【０００５】
しかしながら、このような従来技術では、検査対象となるＦＭトランスミッタ機器ごとに、スペクトラムアナライザやパワーメーターを用いて送信信号を測定し、その無線周波数や送信出力が検査基準に合致しているか否かを判断する必要があるため、煩雑な検査作業や多くの検査時間を要し、このような検査を製造検査時に行う場合には生産性を向上できないという問題点があった。
本発明はこのような課題を解決するためのものであり、ＦＭトランスミッタの動作検査に必要な検査作業や検査時間を軽減することが可能なＦＭトランスミッタ機器検査方法およびシステムを提供することを目的としている。
【課題を解決するための手段】
【０００６】
このような目的を達成するために、本発明にかかるＦＭトランスミッタ機器検査方法は、任意の無線周波数で音声信号を送信するＦＭトランスミッタを有する複数のＦＭトランスミッタ機器を検査するＦＭトランスミッタ機器検査システムで用いられるＦＭトランスミッタ機器検査方法であって、ＦＭトランスミッタ機器のうちの任意の組合せから、所定の検査基準に応じた周波数間隔を持つ異なる無線周波数で互いに異なる音声信号を同時に送信する送信ステップと、ＦＭトランスミッタ機器から送信された音声信号を無線周波数ごとにそれぞれ受信する受信ステップと、無線周波数ごとに受信した音声信号のいずれか１つを切替選択する切替ステップと、切替選択された選択音声信号を出力結果としてスピーカから音声出力する出力ステップとを備えている。
【０００７】
また、本発明にかかる他のＦＭトランスミッタ機器検査方法は、任意の無線周波数で音声信号を送信するＦＭトランスミッタを有する複数のＦＭトランスミッタ機器を検査するＦＭトランスミッタ機器検査システムで用いられるＦＭトランスミッタ機器検査方法であって、ＦＭトランスミッタ機器のうちの任意の組合せから、所定の検査基準に応じた周波数間隔を持つ異なる無線周波数で互いに異なる音声周波数の音声信号を同時に送信する送信ステップと、ＦＭトランスミッタ機器から送信された音声信号を無線周波数ごとにそれぞれ受信する受信ステップと、無線周波数ごとに受信した音声信号のいずれか１つを切替選択する切替ステップと、切替選択された選択音声信号を識別し出力結果として出力する出力ステップとを備えている。
【０００８】
この際、各ＦＭトランスミッタ機器から送信した各音声信号と出力結果が示す選択音声信号との一致／不一致に基づいて、ＦＭトランスミッタ機器の良否を判定する判定ステップと、判定結果を表示部で表示する表示ステップとをさらに備えてもよい。
【０００９】
また、送信ステップにより、周波数間隔で並ぶ第１および第２の無線周波数をそれぞれ用いる２つＦＭトランスミッタ機器のうち、第１のＦＭトランスミッタ機器から第１の無線周波数による第１の音声信号と、第２のＦＭトランスミッタ機器から第２の無線周波数による第２の音声信号とを同時に送信し、判定ステップにより、切替ステップで選択された第１の無線周波数のＦＭ受信器からの音声信号を示す選択音声信号が第１の音声信号と一致しなかった場合、第２のＦＭトランスミッタ機器からの第２の音声信号の送信を停止し、切替装置で選択された選択音声信号が第１の音声信号と一致しなかった場合は第１のＦＭトランスミッタ機器を不良と判定し、選択音声信号が第１の音声信号と一致した場合は第２のＦＭトランスミッタ機器を不良と判定するようにしてもよい。
【００１０】
また、送信ステップにより、周波数間隔で並ぶ第１、第２、第３の無線周波数をそれぞれ用いる３つのＦＭトランスミッタ機器のうち、第１のＦＭトランスミッタ機器から第１の無線周波数による第１の音声信号と、第２のＦＭトランスミッタ機器から第２の無線周波数による第２の音声信号と、第３のＦＭトランスミッタ機器から第３の無線周波数による第３の音声信号とを同時に送信し、判定ステップにより、切替装置で選択された第２の無線周波数のＦＭ受信器からの音声信号を示す選択音声信号が第２の音声信号と一致しなかった場合、第１のＦＭトランスミッタ機器からの第１の音声信号の送信を停止させる送信停止指示を出力し、選択音声信号が第２の音声信号と一致した場合は第１のＦＭトランスミッタ機器を不良と判定し、選択音声信号が第２の音声信号と一致しなかった場合は第３のＦＭトランスミッタ機器からの第１の音声信号の送信を停止させる指示を出力し、選択音声信号が第２の音声信号と一致した場合は第３のＦＭトランスミッタ機器を不良と判定し、選択音声信号が第２の音声信号と一致しなかった場合は第２のＦＭトランスミッタ機器を不良と判定するようにしてもよい。
【００１１】
また、本発明にかかるＦＭトランスミッタ機器検査システムは、任意の無線周波数で音声信号を送信するＦＭトランスミッタを有する複数のＦＭトランスミッタ機器を検査するＦＭトランスミッタ機器検査システムであって、ＦＭトランスミッタ機器のうちの任意の組合せに対して、所定の検査基準に応じた周波数間隔を持つ異なる無線周波数で互いに異なる音声信号を同時に送信させる送信指示を出力する検査制御部を有する制御装置と、無線周波数ごとに設けられ、当該無線周波数でＦＭトランスミッタ機器から送信された音声信号をそれぞれ受信する複数のＦＭ受信器と、各ＦＭ受信器で受信された音声信号のいずれか１つを切替選択する切替装置と、切替装置で選択された選択音声信号を出力結果として音声出力するスピーカとを備えている。
【００１２】
また、本発明にかかる他のＦＭトランスミッタ機器検査システムは、任意の無線周波数で音声信号を送信するＦＭトランスミッタを有する複数のＦＭトランスミッタ機器を検査するＦＭトランスミッタ機器検査システムであって、ＦＭトランスミッタ機器を制御して、ＦＭトランスミッタ機器のうちの任意の組合せに対して、所定の検査基準に応じた周波数間隔を持つ異なる無線周波数で互いに異なる音声信号を同時に送信させる送信指示を出力する検査制御部を有する制御装置と、無線周波数ごとに設けられ、当該無線周波数でＦＭトランスミッタ機器から送信された音声信号をそれぞれ受信する複数のＦＭ受信器と、各ＦＭ受信器で受信された音声信号のいずれか１つを切替選択する切替装置と、切替装置で選択された選択音声信号を識別し出力結果として出力する音声信号検出装置とを備えている。
【００１３】
この際、検査制御部で、切替装置に対して任意のＦＭ受信器からの音声信号を選択させる切替指示を出力するようにしてもよい。
【００１４】
また、制御装置に、出力結果に応じた操作を入力する操作入力部と、ＦＭトランスミッタ機器の良否を示す判定結果を表示する表示部とをさらに設け、検査制御部で、各ＦＭトランスミッタ機器から送信した各音声信号と操作で入力された出力結果が示す選択音声信号との一致／不一致に基づいて、ＦＭトランスミッタ機器の良否を判定し、その判定結果を表示部で表示するようにしてもよい。
【００１５】
また、制御装置に、音声信号検出装置から出力された出力結果を取得する入出力部と、ＦＭトランスミッタ機器の良否を示す判定結果を表示する表示部とをさらに設け、検査制御部で、各ＦＭトランスミッタ機器から送信した各音声信号と入出力部で取得した出力結果が示す選択音声信号との一致／不一致に基づいて、ＦＭトランスミッタ機器の良否を判定し、その判定結果を表示部で表示するようにしてもよい。
【００１６】
また、検査制御部で、周波数間隔で並ぶ第１および第２の無線周波数をそれぞれ用いる第１および第２のＦＭトランスミッタ機器に対して、第１のＦＭトランスミッタ機器から第１の無線周波数による第１の音声信号と、第２のＦＭトランスミッタ機器から第２の無線周波数による第２の音声信号とを同時に送信させる送信指示をそれぞれ出力し、切替装置で選択された第１の無線周波数のＦＭ受信器からの音声信号を示す選択音声信号が第１の音声信号と一致しなかった場合、第２のＦＭトランスミッタ機器からの第２の音声信号の送信を停止させる指示を出力し、切替装置で選択された選択音声信号が第１の音声信号と一致しなかった場合は第１のＦＭトランスミッタ機器を不良と判定し、選択音声信号が第１の音声信号と一致した場合は第２のＦＭトランスミッタ機器を不良と判定するようにしてもよい。
【００１７】
また、周波数間隔で並ぶ第１、第２、第３の無線周波数をそれぞれ用いる第１、第２、第３のＦＭトランスミッタ機器に対して、第１のＦＭトランスミッタ機器から第１の無線周波数による第１の音声信号と、第２のＦＭトランスミッタ機器から第２の無線周波数による第２の音声信号と、第３のＦＭトランスミッタ機器から第３の無線周波数による第３の音声信号とを同時に送信させる送信指示をそれぞれ出力し、切替装置で選択された第２の無線周波数のＦＭ受信器からの音声信号を示す選択音声信号が第２の音声信号と一致しなかった場合、第１のＦＭトランスミッタ機器からの第１の音声信号の送信を停止させる送信停止指示を出力し、選択音声信号が第２の音声信号と一致した場合は第１のＦＭトランスミッタ機器を不良と判定し、選択音声信号が第２の音声信号と一致しなかった場合は第３のＦＭトランスミッタ機器からの第１の音声信号の送信を停止させる指示を出力し、選択音声信号が第２の音声信号と一致した場合は第３のＦＭトランスミッタ機器を不良と判定し、選択音声信号が第２の音声信号と一致しなかった場合は第２のＦＭトランスミッタ機器を不良と判定するようにしてもよい。
【発明の効果】
【００１８】
本発明によれば、制御装置１からの送信指示により、ＦＭトランスミッタ機器のうちの任意の組合せから、所定の検査基準に応じた周波数間隔を持つ異なる無線周波数で互いに異なる音声信号が同時に送信され、各ＦＭ受信器により、これらＦＭトランスミッタ機器から送信された音声信号が無線周波数ごとにそれぞれ受信され、切替装置により、無線周波数ごとに受信した音声信号のいずれかが切替選択され、切替選択された選択音声信号が出力結果としてスピーカから音声出力される。あるいは切替選択された選択音声信号が音声信号検出装置で識別され出力結果として出力される。
【００１９】
したがって、１つの検査信号に対する検査で複数のＦＭトランスミッタ機器の動作を同時に検査できるとともに、その動作として無線周波数のずれと音声送信の正常性をそれぞれ一括して検査できる。
このため、検査対象となるＦＭトランスミッタ機器ごとに、スペクトラムアナライザやパワーメーターを用いて送信信号を測定し、その無線周波数や送信出力が検査基準に合致しているか否かを判断する必要がなくなり、検査作業負担を軽減できるとともに検査時間を短縮でき、このような検査を製造検査時に行う場合には全体として生産性を向上させることが可能となる。
【発明を実施するための最良の形態】
【００２０】
次に、本発明の実施の形態について図面を参照して説明する。
［第１の実施の形態］
まず、図１を参照して、本発明の第１の実施の形態にかかるＦＭトランスミッタ機器検査システムについて説明する。図１は、本発明の第１の実施の形態にかかるＦＭトランスミッタ機器検査システムの構成を示すブロック図である。
このＦＭトランスミッタ機器検査システムは、音楽再生装置や携帯電話機などのＦＭトランスミッタ機器Ｔ１〜Ｔ３について、それぞれ内蔵するＦＭトランスミッタの動作を検査する検査システムである。
【００２１】
本実施の形態は、主な機能部として、制御装置１、ＦＭ受信器Ｒ０〜Ｒ４、切替装置３、およびスピーカ４を設け、制御装置１からの送信指示により、ＦＭトランスミッタ機器Ｔ１〜Ｔ３のうちの任意の組合せから、所定の検査基準に応じた周波数間隔を持つ異なる無線周波数で互いに異なる音声信号を同時に送信させ、ＦＭ受信器Ｒ０〜Ｒ４により、これらＦＭトランスミッタ機器から送信された音声信号を無線周波数ごとにそれぞれ受信し、切替装置３により、無線周波数ごとに受信した音声信号のいずれか１つを切替選択し、切替選択された選択音声信号を出力結果としてスピーカ４から音声出力するようにしたものである。
【００２２】
［ＦＭトランスミッタ機器検査システム］
次に、図１を参照して、本発明の第１の実施の形態にかかるＦＭトランスミッタ機器検査システムの構成について詳細に説明する。
制御装置１は、パーソナルコンピュータなどの情報処理装置からなり、主な機能部として、操作入力部１１、表示部１２、記憶部１３、および検査制御部１５が設けられている。
【００２３】
操作入力部１１は、キーボードやマウス、さらにはスピーカ４から出力された選択音声信号からなる出力結果に応じた操作を入力するボタンやスイッチなど、検査を行う作業者の操作を検出して検査制御部１５へ出力する機能を有している。
表示部１２は、ＬＣＤやＰＤＰ、あるいはＬＥＤからなり、検査制御部１５からの指示に応じて、検査作業に関する操作メニュー、操作指示、さらには判定結果などの各種情報を表示する機能を有している。
【００２４】
記憶部１３は、メモリやハードディスクなどの記憶装置からなり、検査制御部１５で用いる各種処理情報やプログラムを記憶する機能を有している。主な処理情報としては、検査で用いる無線周波数や検査音声を示す検査設定情報がある。図２は、検査設定情報の構成例である。この検査設定情報は、予め操作入力部から入力されて記憶部１３に保存されており、図２の例では、送信側となる検査を行うＦＭトランスミッタ機器と受信側となるＦＭ受信器で用いる無線周波数と、当該無線周波数で送信する検査音声を示す識別情報とが対応付けて登録されている。
【００２５】
入出力部１４は、専用のインターフェース回路からなり、接続治具２を介して検査対象となるＦＭトランスミッタ機器Ｔ１〜Ｔ３と各種信号を送受信することにより、検査制御部１５から出力された各種指示をＦＭトランスミッタ機器Ｔ１〜Ｔ３へ送信する機能を有している。
【００２６】
検査制御部１５は、ＣＰＵなどのマイクロプロセッサとその周辺回路からなり、記憶部１３からプログラムを読み込んで実行することにより、このプログラムと上記ハードウェアとを協働させて演算処理を実行することにより、ＦＭトランスミッタ機器Ｔ１〜Ｔ３に対する検査全体を制御する処理機能を実現する。
検査制御部１５で実現される主な処理機能としては、入出力部１４を介して検査対象となる任意のＦＭトランスミッタ機器Ｔ１〜Ｔ３とデータ通信を行うことにより、所定の無線周波数による任意の音声信号の送信を指示する送信指示や、送信中の音声信号に対する送信停止を指示する送信停止指示を出力する送信制御機能がある。
【００２７】
接続治具２は、検査対象となるＦＭトランスミッタ機器Ｔ１〜Ｔ３を交換自在に接続するコネクタ２１を複数有し、制御装置１の入出力部１４と配線を介して接続されて、制御装置１の検査制御部１５とＦＭトランスミッタ機器Ｔ１〜Ｔ３と間のデータ通信を中継する機能を有している。
【００２８】
ＦＭ受信器Ｒ０〜Ｒ４は、ＦＭラジオなど、ＦＭ変調の無線信号を受信して復調した音声信号を出力する無線受信器からなり、所定の検査基準に応じた周波数間隔を持つ異なる無線周波数ｆ０〜ｆ４ごとに設けられ、検査対象となるＦＭトランスミッタ機器Ｔ１〜Ｔ３からそれぞれの無線周波数で送信された音声信号を受信する機能を有している。この場合、ＦＭトランスミッタ機器Ｔ１〜Ｔ３で使用される無線周波数のｆ１〜ｆ３と、その両端の周波数ｆ０，ｆ４を受信する必要があるため、ＦＭ受信器Ｒ０〜Ｒ４は、検査対象となる３台のＦＭトランスミッタ機器Ｔ１〜Ｔ３より２台多い５台必要となる。
【００２９】
切替装置３は、切替スイッチなどの回路素子からなり、作業者の操作に応じてＦＭ受信器Ｒ０〜Ｒ４から出力されている音声信号のいずれか１つを切替選択し、選択音声信号として出力する機能を有している。
スピーカ４は、作業者に対して、切替装置３からの選択音声信号を出力結果として音声出力する機能を有としている。
【００３０】
［ＦＭトランスミッタ機器］
次に、図３を参照して、本実施の形態にかかるＦＭトランスミッタ機器検査システムで検査対象となるＦＭトランスミッタ機器の構成例について説明する。図３は、ＦＭトランスミッタ機器の一例である音楽再生機器の構成を示すブロック図である。ここでは、ＦＭトランスミッタ機器の一例である音楽再生機器（デジタルオーディオプレーヤー）について説明する。
【００３１】
この音楽再生装置６は、記憶部に保存しているデジタル音声データを再生し音声信号としてヘッドホンへ出力する、携帯型の電子機器である。
音楽再生装置６には、主な機能部として、ＦＭトランスミッタ６１、音声処理部６２、音声出力部６３、画面表示部６４、操作部６５、記憶部６６、データ通信部６７、および制御部６８が設けられている。
【００３２】
ＦＭトランスミッタ６１は、専用の無線回路からなり、制御部６８からの指示に応じて、音声処理部６２から出力された音声信号を所定の無線周波数でＦＭ変調し、無線信号として送信する機能を有している。
音声処理部６２は、専用の音声処理回路からなり、制御部６８からの指示に応じて、記憶部６６から読み出した所定のデジタル音声データを復調し、音声出力部６３やＦＭトランスミッタ６１へ出力する機能を有している。
音声出力部６３は、専用の音声処理回路からなり、音声処理部６２から出力された音声信号を、接続されたヘッドホンやスピーカ（図示せず）へ出力する機能を有している。
【００３３】
画面表示部６４は、ＬＣＤやＬＥＤなどの表示装置からなり、制御部６８からの指示に応じて操作メニューや再生する音声データの添付情報、さらには動作状態などの各種情報を表示する機能を有している。
操作部６５は、カーソルキーなどの各種操作キーやスイッチからなり、利用者の操作を検出して制御部６８へ出力する機能を有している。
【００３４】
記憶部６６は、メモリやハードディスクなどの記憶装置からなり、制御部６８での処理に用いる各種処理情報やプログラム、さらにはデジタル音声データを記憶する機能を有している。
データ通信部６７は、専用のデータ通信回路からなり、制御部６８からの指示に応じて、接続された各種外部装置と各種信号をやり取りすることにより、データ通信を行う機能を有している。検査時には、接続治具２を介して接続された制御装置１の入出力部１４と接続して各種信号をやり取りすることにより、制御装置１の検査制御部１５と制御部６８との間のデータ通信を実現し、検査制御部１５からの送信指示や送信停止指示を受信して制御部６８へ渡す。また、通常使用時には、パーソナルコンピュータなどの情報処理装置と接続して所望のデジタル音声データを受信し、記憶部６６へ格納する。
【００３５】
制御部６８は、ＣＰＵなどのマイクロプロセッサとその周辺回路からなり、記憶部６６からプログラムを読み込んで実行することにより、プログラムと上記ハードウェアとを協働させて機能処理部を実現することにより、音楽再生装置６全体の動作を制御する。
【００３６】
［第１の実施の形態の動作］
次に、図４〜図９を参照して、本発明の第１の実施の形態にかかるＦＭトランスミッタ機器検査システムの動作について説明する。図４は、本発明の第１の実施の形態にかかるＦＭトランスミッタ機器検査システムのＦＭ送信動作検査処理を示すフローチャートである。図５〜図９は、図４のＦＭ送信動作検査処理における検査状態を示す説明図である。
【００３７】
［ＦＭ送信動作検査処理］
制御装置１の検査制御部１５は、作業者により操作入力部１１から入力された検査開始操作に応じて、図２の検査設定情報を記憶部１３から読み取り、図４のＦＭ送信動作検査処理を開始する。
なお、ＦＭ送信動作検査処理の実行に当たり、図２の検査設定情報の内容に基づいて、作業者により、ＦＭ受信器Ｒ０〜Ｒ４で受信する無線周波数としてｆ０〜ｆ４が予め設定されているものとする。これら無線周波数ｆ０〜ｆ４は、所定の検査基準に応じた周波数間隔、ここでは０．５ＭＨｚを持つ８０．０ＭＨｚ，８０．５ＭＨｚ，８１．０ＭＨｚ，８１．５ＭＨｚ，８２．０ＭＨｚが用いられている。
【００３８】
また、接続治具２には、検査対象となるＦＭトランスミッタ機器Ｔ１〜Ｔ３がそれぞれ接続されているとともに、各ＦＭトランスミッタ機器Ｔ１〜Ｔ３内に検査で用いる検査信号Ｓ１〜Ｓ３が図２の検査設定情報の内容に基づいてそれぞれ保存されているものとする。ここでは、作業者が聴取した場合に識別しやすいように、検査信号Ｓ１〜Ｓ３として、それぞれ男性の声、犬の鳴き声、女性の声を用いるものとする。
【００３９】
まず、検査制御部１５は、切替装置３でＦＭ受信器Ｒ０からの音声信号を切替選択するよう出力選択指示を表示部１２で表示し、ＦＭトランスミッタ機器Ｔ１で検査音声Ｓ１を無線周波数ｆ１で送信するよう、入出力部１４から送信指示を出力する（ステップ１００）。
これに応じて、作業者は切替装置３を操作してＦＭ受信器Ｒ０からの音声信号を切替選択する。また、ＦＭトランスミッタ機器Ｔ１の制御部６８は、接続治具２およびデータ通信部６７を介して上記送信指示を受信し、記憶部６６に保存されている検査信号Ｓ１のデジタル音声データを音声処理部６２で復号し、得られた検査信号Ｓ１をＦＭトランスミッタ６１により無線周波数ｆ１でＦＭ変調し無線信号として送信する。
【００４０】
この際、図５（ａ）に示すように、切替装置３でＦＭ受信器Ｒ０からの音声信号が選択されているため、ＦＭトランスミッタ機器Ｔ１から検査音声Ｓ１が無線周波数ｆ１で正常に送信された場合、切替装置３からの選択音声信号は無音となる。
【００４１】
作業者は、スピーカ４から音声出力された選択音声信号を聴取し、その選択音声信号に応じた操作を操作入力部１１で入力する。この場合、操作入力部１１に、「無音確認」，「Ｓ１のみ確認」，「Ｓ２のみ確認」，「Ｓ３のみ確認」などの操作ボタンを用意しておいてもよい。あるいは、検査制御部１５により、送信指示の出力に合わせて、送信している音声信号の内容を表示部１２で表示しておき、その表示内容とスピーカ４から聴取した選択音声信号との一致／不一致を操作入力部１１で入力するようにしてもよい。
【００４２】
ここで、操作入力部１１で入力された操作が「無音確認」を示さない場合（ステップ１０１：ＮＯ）、図５（ｂ）に示すように、ＦＭトランスミッタ機器Ｔ１から検査音声Ｓ１が無線周波数ｆ０で送信されていることになるため、検査制御部１５は、ＦＭトランスミッタ機器Ｔ１を不良と判定し（ステップ１０２）、その判定結果を表示部１２で表示した後（ステップ１１６）、一連のＦＭ送信動作検査処理を終了する。この後、作業者は、ＦＭトランスミッタ機器Ｔ１を新たなものと交換し、操作入力部１１で再度検査開始操作を行うことになる。
【００４３】
一方、操作入力部１１で入力された操作が「無音確認」を示す場合（ステップ１０１：ＹＥＳ）、検査制御部１５は、切替装置３でＦＭ受信器Ｒ１からの音声信号を切替選択するよう出力選択指示を表示部１２で表示し、ＦＭトランスミッタ機器Ｔ１，Ｔ２で検査音声Ｓ１，Ｓ２を無線周波数ｆ１，ｆ２でそれぞれ送信するよう、入出力部１４から送信指示を出力する（ステップ１０３）。
【００４４】
これに応じて、作業者は切替装置３を操作してＦＭ受信器Ｒ０からの音声信号を切替選択する。また、ＦＭトランスミッタ機器Ｔ１の制御部６８は、上記送信指示に応じて前述と同様にして、検査信号Ｓ１を無線周波数ｆ１で送信する。これと同時に、ＦＭトランスミッタ機器Ｔ２の制御部６８は、接続治具２およびデータ通信部６７を介して上記送信指示を受信し、記憶部６６に保存されている検査信号Ｓ２のデジタル音声データを音声処理部６２で復号し、得られた検査信号Ｓ２をＦＭトランスミッタ６１により無線周波数ｆ２でＦＭ変調し無線信号として送信する。
【００４５】
作業者は、スピーカ４から音声出力された選択音声信号を聴取し、その選択音声信号に応じた操作を操作入力部１１で入力する。この際、図６に示すように、切替装置３でＦＭ受信器Ｒ１からの音声信号が選択されているため、ＦＭトランスミッタ機器Ｔ１，Ｔ２から検査音声Ｓ１，Ｓ２がそれぞれ無線周波数ｆ１，ｆ２で正常に送信された場合、切替装置３からの選択音声信号は検査音声Ｓ１のみとなる。
【００４６】
ここで、操作入力部１１で入力された操作が「Ｓ１のみ確認」を示さない場合（ステップ１０４：ＮＯ）、ＦＭトランスミッタ機器Ｔ１，Ｔ２のいずれが不良であるかを判断するため、後述する図１０のＳ１検査処理を実行し（ステップ１０５）、その判定結果を表示部１２で表示した後（ステップ１１６）、一連のＦＭ送信動作検査処理を終了する。この後、作業者は、不良と判定されたＦＭトランスミッタ機器Ｔ１，Ｔ２のいずれかを新たなものと交換し、操作入力部１１で再度検査開始操作を行うことになる。
【００４７】
一方、操作入力部１１で入力された操作が「Ｓ１のみ確認」を示す場合（ステップ１０４：ＹＥＳ）、検査制御部１５は、切替装置３でＦＭ受信器Ｒ２からの音声信号を切替選択するよう出力選択指示を表示部１２で表示し、ＦＭトランスミッタ機器Ｔ１，Ｔ２，Ｔ３で検査音声Ｓ１，Ｓ２，Ｓ３を無線周波数ｆ１，ｆ２，ｆ３でそれぞれ送信するよう、入出力部１４から送信指示を出力する（ステップ１０６）。
【００４８】
これに応じて、作業者は切替装置３を操作してＦＭ受信器Ｒ２からの音声信号を切替選択する。また、ＦＭトランスミッタ機器Ｔ１，Ｔ２の制御部６８は、上記送信指示に応じて前述と同様にして、検査信号Ｓ１，Ｓ２を無線周波数ｆ１，ｆ２でそれぞれ同時に送信する。さらにこれと同時に、ＦＭトランスミッタ機器Ｔ３の制御部６８は、接続治具２およびデータ通信部６７を介して上記送信指示を受信し、記憶部６６に保存されている検査信号Ｓ３のデジタル音声データを音声処理部６２で復号し、得られた検査信号Ｓ３をＦＭトランスミッタ６１により無線周波数ｆ３でＦＭ変調し無線信号として送信する。
【００４９】
作業者は、スピーカ４から音声出力された選択音声信号を聴取し、その選択音声信号に応じた操作を操作入力部１１で入力する。この際、図７に示すように、切替装置３でＦＭ受信器Ｒ２からの音声信号が選択されているため、ＦＭトランスミッタ機器Ｔ１，Ｔ２，Ｔ３から検査音声Ｓ１，Ｓ２，Ｓ３がそれぞれ無線周波数ｆ１，ｆ２，ｆ３で正常に送信された場合、切替装置３からの選択音声信号は検査音声Ｓ２のみとなる。
【００５０】
ここで、操作入力部１１で入力された操作が「Ｓ２のみ確認」を示さない場合（ステップ１０７：ＮＯ）、ＦＭトランスミッタ機器Ｔ１，Ｔ２，Ｔ３のいずれが不良であるかを判断するため、後述する図１２のＳ２検査処理を実行し（ステップ１０８）、その判定結果を表示部１２で表示した後（ステップ１１６）、一連のＦＭ送信動作検査処理を終了する。この後、作業者は、不良と判定されたＦＭトランスミッタ機器Ｔ１，Ｔ２，Ｔ３のいずれかを新たなものと交換し、操作入力部１１で再度検査開始操作を行うことになる。
【００５１】
一方、操作入力部１１で入力された操作が「Ｓ２のみ確認」を示す場合（ステップ１０７：ＹＥＳ）、検査制御部１５は、切替装置３でＦＭ受信器Ｒ３からの音声信号を切替選択するよう出力選択指示を表示部１２で表示し、ＦＭトランスミッタ機器Ｔ１からの検査信号Ｓ１の送信停止を指示する送信停止指示を出力するとともに、ＦＭトランスミッタ機器Ｔ２，Ｔ３で検査音声Ｓ２，Ｓ３を無線周波数ｆ２，ｆ３でそれぞれ送信するよう、入出力部１４から送信指示を出力する（ステップ１０９）。
【００５２】
これに応じて、作業者は切替装置３を操作してＦＭ受信器Ｒ３からの音声信号を切替選択する。また、ＦＭトランスミッタ機器Ｔ１の制御部６８は、上記送信停止指示に応じて音声処理部６２からの検査信号Ｓ３の出力およびＦＭトランスミッタ６１からの検査信号Ｓ３の送信を停止する。これと同時に、ＦＭトランスミッタ機器Ｔ２，Ｔ３の制御部６８は、上記送信指示に応じて前述と同様にして、検査信号Ｓ２，Ｓ３を無線周波数ｆ２，ｆ３でそれぞれ同時に送信する。
【００５３】
作業者は、スピーカ４から音声出力された選択音声信号を聴取し、その選択音声信号に応じた操作を操作入力部１１で入力する。この際、図８に示すように、切替装置３でＦＭ受信器Ｒ３からの音声信号が選択されているため、ＦＭトランスミッタ機器Ｔ２，Ｔ３から検査音声Ｓ２，Ｓ３がそれぞれ無線周波数ｆ２，ｆ３で正常に送信された場合、切替装置３からの選択音声信号は検査音声Ｓ３のみとなる。
【００５４】
ここで、操作入力部１１で入力された操作が「Ｓ３のみ確認」を示さない場合（ステップ１１０：ＮＯ）、ＦＭトランスミッタ機器Ｔ２，Ｔ３のいずれが不良であるかを判断するため、後述する図１４のＳ３検査処理を実行し（ステップ１１１）、その判定結果を表示部１２で表示した後（ステップ１１６）、一連のＦＭ送信動作検査処理を終了する。この後、作業者は、不良と判定されたＦＭトランスミッタ機器Ｔ２，Ｔ３のいずれかを新たなものと交換し、操作入力部１１で再度検査開始操作を行うことになる。
【００５５】
一方、操作入力部１１で入力された操作が「Ｓ３のみ確認」を示す場合（ステップ１１０：ＹＥＳ）、検査制御部１５は、切替装置３でＦＭ受信器Ｒ４からの音声信号を切替選択するよう出力選択指示を表示部１２で表示し、ＦＭトランスミッタ機器Ｔ２からの検査信号Ｓ２の送信停止を指示する送信停止指示を出力するとともに、ＦＭトランスミッタ機器Ｔ３で検査音声Ｓ３を無線周波数ｆ３でそれぞれ送信するよう、入出力部１４から送信指示を出力する（ステップ１１２）。
【００５６】
これに応じて、作業者は切替装置３を操作してＦＭ受信器Ｒ３からの音声信号を切替選択する。また、ＦＭトランスミッタ機器Ｔ２の制御部６８は、上記送信停止指示に応じて音声処理部６２からの検査信号Ｓ２の出力およびＦＭトランスミッタ６１からの検査信号Ｓ２の送信を停止する。これと同時に、ＦＭトランスミッタ機器Ｔ３の制御部６８は、上記送信指示に応じて前述と同様にして、検査信号Ｓ３を無線周波数ｆ３でそれぞれ同時に送信する。
【００５７】
作業者は、スピーカ４から音声出力された選択音声信号を聴取し、その選択音声信号に応じた操作を操作入力部１１で入力する。この際、図９（ａ）切替装置３でＦＭ受信器Ｒ４からの音声信号が選択されているため、ＦＭトランスミッタ機器Ｔ３から検査音声Ｓ３が無線周波数ｆ３で正常に送信された場合、切替装置３からの選択音声信号は無音となる。
【００５８】
ここで、操作入力部１１で入力された操作が「無音確認」を示さない場合（ステップ１１３：ＮＯ）、図９（ｂ）に示すように、ＦＭトランスミッタ機器Ｔ３から検査音声Ｓ３が無線周波数ｆ４で送信されていることになるため、検査制御部１５は、ＦＭトランスミッタ機器Ｔ３を不良と判定し（ステップ１１４）、その判定結果を表示部１２で表示した後（ステップ１１６）、一連のＦＭ送信動作検査処理を終了する。この後、作業者は、不良と判定されたＦＭトランスミッタ機器Ｔ１，Ｔ２，Ｔ３のいずれかを新たなものと交換し、操作入力部１１で再度検査開始操作を行うことになる。
【００５９】
一方、操作入力部１１で入力された操作が「無音確認」を示す場合（ステップ１０１：ＹＥＳ）、検査制御部１５は、ＦＭトランスミッタ機器Ｔ１，Ｔ２，Ｔ３のすべてを良品と判定し（ステップ１１５）、その判定結果を表示部１２で表示した後（ステップ１１６）、一連のＦＭ送信動作検査処理を終了する。この後、作業者は、良品と判定されたＦＭトランスミッタ機器Ｔ１，Ｔ２，Ｔ３のすべてを新たなものと交換し、操作入力部１１で再度検査開始操作を行うことになる。
【００６０】
［Ｓ１検査処理］
次に、図１０および図１１を参照して、図４のステップ１０５におけるＳ１検査処理について説明する。図１０は、本発明の第１の実施の形態にかかるＦＭトランスミッタ機器検査システムのＳ１検査処理を示すフローチャートである。図１１は、図１０のＳ１検査処理における検査状態を示す説明図である。
【００６１】
図６において、切替装置３でＦＭ受信器Ｒ１からの音声信号が選択されているにもかかわらず、切替装置３からの選択音声信号が検査音声Ｓ１のみとならなかった場合、その原因として、図１１（ａ）に示すように、検査信号Ｓ２が無線周波数ｆ１すなわち検査信号Ｓ１に混信して検査信号Ｓ１，Ｓ２が同時に出力されている状態と、図１１（ｂ）に示すように、検査信号Ｓ１が無線周波数ｆ０などの他の無線周波数に混信して無音となっている状態の２通りが考えられる。
【００６２】
このような場合、検査制御部１５は、まず、ＦＭトランスミッタ機器Ｔ２からの検査信号Ｓ２の送信停止を指示する送信停止指示を出力する（ステップ１２０）。
これに応じて、ＦＭトランスミッタ機器Ｔ２の制御部６８は、音声処理部６２からの検査信号Ｓ２の出力およびＦＭトランスミッタ６１からの検査信号Ｓ２の送信を停止する。
【００６３】
作業者は、スピーカ４から音声出力された選択音声信号を聴取し、その選択音声信号に応じた操作を操作入力部１１で入力する。
ここで、操作入力部１１で入力された操作が「Ｓ１のみ確認」を示す場合（ステップ１２１：ＹＥＳ）、図１１（ａ）に示すように、無線周波数ｆ１すなわち検査信号Ｓ１に混信していた検査信号Ｓ２が停止されたために検査信号Ｓ１のみが確認されたケースに相当する。このため、検査制御部１５は、ＦＭトランスミッタ機器Ｔ２を不良と判定し（ステップ１２２）、一連のＳ１検査処理を終了する。
【００６４】
一方、操作入力部１１で入力された操作が「Ｓ１のみ確認」を示さない場合（ステップ１２１：ＮＯ）、図１１（ｂ）に示すように、検査信号Ｓ１が無線周波数ｆ０やｆ２などの他の無線周波数で送信されているため検査信号Ｓ２を停止して検査信号Ｓ１のみを送信しても無音状態となるケースに相当する。このため、検査制御部１５は、ＦＭトランスミッタ機器Ｔ１を不良と判定し（ステップ１２３）、一連のＳ１検査処理を終了する。
【００６５】
［Ｓ２検査処理］
次に、図１２および図１３を参照して、図４のステップ１０８におけるＳ２検査処理について説明する。図１２は、本発明の第１の実施の形態にかかるＦＭトランスミッタ機器検査システムのＳ２検査処理を示すフローチャートである。図１３は、図１２のＳ２検査処理における検査状態を示す説明図である。
【００６６】
図７において、切替装置３でＦＭ受信器Ｒ２からの音声信号が選択されているにもかかわらず、切替装置３からの選択音声信号が検査音声Ｓ２のみとならなかった場合、その原因として、図１３（ａ）に示すように、検査信号Ｓ１が無線周波数ｆ２すなわち検査信号Ｓ２に混信して検査信号Ｓ１，Ｓ２が同時に出力されている状態と、図１３（ｂ）に示すように、検査信号Ｓ３が無線周波数ｆ２に混信して検査信号Ｓ２，Ｓ３が同時に出力されている状態と、図１３（ｃ）に示すように、検査信号Ｓ２が無線周波数ｆ１やｆ３などの他の無線周波数に混信して無音となっている状態の３通りが考えられる。
【００６７】
このような場合、検査制御部１５は、まず、ＦＭトランスミッタ機器Ｔ１からの検査信号Ｓ１の送信停止を指示する送信停止指示を出力する（ステップ１３０）。
これに応じて、ＦＭトランスミッタ機器Ｔ１の制御部６８は、音声処理部６２からの検査信号Ｓ１の出力およびＦＭトランスミッタ６１からの検査信号Ｓ１の送信を停止する。
【００６８】
作業者は、スピーカ４から音声出力された選択音声信号を聴取し、その選択音声信号に応じた操作を操作入力部１１で入力する。
ここで、操作入力部１１で入力された操作が「Ｓ２のみ確認」を示す場合（ステップ１３１：ＹＥＳ）、図１３（ａ）に示すように、無線周波数ｆ２すなわち検査信号Ｓ２に混信していた検査信号Ｓ１が停止されたために検査信号Ｓ２のみが確認されたケースに相当する。このため、検査制御部１５は、ＦＭトランスミッタ機器Ｔ１を不良と判定し（ステップ１３２）、一連のＳ２検査処理を終了する。
【００６９】
一方、操作入力部１１で入力された操作が「Ｓ２のみ確認」を示さない場合（ステップ１３１：ＮＯ）、検査制御部１５は、ＦＭトランスミッタ機器Ｔ３からの検査信号Ｓ３の送信停止を指示する送信停止指示を出力する（ステップ１３３）。
これに応じて、ＦＭトランスミッタ機器Ｔ３の制御部６８は、音声処理部６２からの検査信号Ｓ３の出力およびＦＭトランスミッタ６１からの検査信号Ｓ３の送信を停止する。
【００７０】
作業者は、スピーカ４から音声出力された選択音声信号を聴取し、その選択音声信号に応じた操作を操作入力部１１で入力する。
ここで、操作入力部１１で入力された操作が「Ｓ２のみ確認」を示す場合（ステップ１３４：ＹＥＳ）、図１３（ｂ）に示すように、無線周波数ｆ２すなわち検査信号Ｓ２に混信していた検査信号Ｓ３が停止されたために検査信号Ｓ２のみが確認されたケースに相当する。このため、検査制御部１５は、ＦＭトランスミッタ機器Ｔ３を不良と判定し（ステップ１３５）、一連のＳ２検査処理を終了する。
【００７１】
一方、操作入力部１１で入力された操作が「Ｓ２のみ確認」を示さない場合（ステップ１３４：ＮＯ）、図１３（ｃ）に示すように、検査信号Ｓ２が無線周波数ｆ１やｆ３などの他の無線周波数で送信されているため検査信号Ｓ１，Ｓ３を停止して検査信号Ｓ２のみを送信しても無音状態となるケースに相当する。このため、検査制御部１５は、ＦＭトランスミッタ機器Ｔ１を不良と判定し（ステップ１３６）、一連のＳ２検査処理を終了する。
【００７２】
［Ｓ３検査処理］
次に、図１４および図１５を参照して、図４のステップ１１１におけるＳ３検査処理について説明する。図１４は、本発明の第１の実施の形態にかかるＦＭトランスミッタ機器検査システムのＳ３検査処理を示すフローチャートである。図１５は、図１４のＳ３検査処理における検査状態を示す説明図である。
【００７３】
図８において、切替装置３でＦＭ受信器Ｒ３からの音声信号が選択されているにもかかわらず、切替装置３からの選択音声信号が検査音声Ｓ３のみとならなかった場合、その原因として、図１５（ａ）に示すように、検査信号Ｓ２が無線周波数ｆ３すなわち検査信号Ｓ３に混信して検査信号Ｓ２，Ｓ３が同時に出力されている状態と、図１５（ｂ）に示すように、検査信号Ｓ３が無線周波数ｆ２やｆ４などの他の無線周波数に混信して無音となっている状態の２通りが考えられる。
【００７４】
このような場合、検査制御部１５は、まず、ＦＭトランスミッタ機器Ｔ１からの検査信号Ｓ２の送信停止を指示する送信停止指示を出力する（ステップ１４０）。
これに応じて、ＦＭトランスミッタ機器Ｔ２の制御部６８は、音声処理部６２からの検査信号Ｓ２の出力およびＦＭトランスミッタ６１からの検査信号Ｓ２の送信を停止する。
【００７５】
作業者は、スピーカ４から音声出力された選択音声信号を聴取し、その選択音声信号に応じた操作を操作入力部１１で入力する。
ここで、操作入力部１１で入力された操作が「Ｓ３のみ確認」を示す場合（ステップ１４１：ＹＥＳ）、図１５（ａ）に示すように、無線周波数ｆ３すなわち検査信号Ｓ３に混信していた検査信号Ｓ２が停止されたために検査信号Ｓ３のみが確認されたケースに相当する。このため、検査制御部１５は、ＦＭトランスミッタ機器Ｔ２を不良と判定し（ステップ１４２）、一連のＳ３検査処理を終了する。
【００７６】
一方、操作入力部１１で入力された操作が「Ｓ３のみ確認」を示さない場合（ステップ１４１：ＮＯ）、図１５（ｂ）に示すように、検査信号Ｓ３が無線周波数ｆ２やｆ４などの他の無線周波数で送信されているため検査信号Ｓ２を停止して検査信号Ｓ３のみを送信しても無音状態となるケースに相当する。このため、検査制御部１５は、ＦＭトランスミッタ機器Ｔ３を不良と判定し（ステップ１４３）、一連のＳ３検査処理を終了する。
【００７７】
［第１の実施の形態の効果］
このように、本実施の形態は、制御装置１からの送信指示により、ＦＭトランスミッタ機器Ｔ１〜Ｔ３のうちの任意の組合せから、所定の検査基準に応じた周波数間隔を持つ異なる無線周波数で互いに異なる音声信号を同時に送信させ、ＦＭ受信器Ｒ０〜Ｒ４により、これらＦＭトランスミッタ機器から送信された音声信号を無線周波数ごとにそれぞれ受信し、切替装置３により、無線周波数ごとに受信した音声信号のいずれか１つを切替選択し、切替選択された選択音声信号を出力結果としてスピーカ４から音声出力するようにしたので、１つの検査信号に対する検査で複数のＦＭトランスミッタ機器Ｔ１〜Ｔ３の動作を同時に検査できるとともに、その動作として無線周波数のずれと音声送信の正常性をそれぞれ一括して検査できる。
【００７８】
このため、検査対象となるＦＭトランスミッタ機器ごとに、スペクトラムアナライザやパワーメーターを用いて送信信号を測定し、その無線周波数や送信出力が検査基準に合致しているか否かを判断する必要がなくなり、検査作業負担を軽減できるとともに検査時間を短縮でき、このような検査を製造検査時に行う場合には全体として生産性を向上させることが可能となる。
【００７９】
なお、本実施の形態では、切替装置３において、作業者の操作に応じてＦＭ受信器Ｒ０〜Ｒ４から出力されている音声信号のいずれか１つを切替選択する場合を例として説明したが、切替装置３を制御装置１から自動的に切り替えるようにしてもよい。
図１６は、本発明の第１の実施の形態にかかるＦＭトランスミッタ機器検査システムの他の構成を示すブロック図であり、前述した図１と同じまたは同等部分には同一符号を付してある。
【００８０】
図１６の例では、制御装置１の入出力部１４と切替装置３とが配線を介して接続されており、検査制御部１５からの切替指示が、入出力部１４を介して切替装置３へ出力され、これに応じて切替装置３でＦＭ受信器Ｒ０〜Ｒ４から出力されている音声信号のいずれか１つが切替選択される。この切替指示は、例えば図４のステップ１００，１０３，１０６，１０９，１１２など、表示部１２で出力選択指示を表示する処理に代えて出力すればよい。これにより、作業者の切替操作負担や切替作業ミスを抑止することができる。
【００８１】
また、本実施の形態では、切替装置３からの選択音声信号を作業者がスピーカ４で聴取することにより、所望の検査信号が出力されているかどうか確認する場合を例として説明したが、スピーカ４に代えて音声信号検出装置５を用いてもよい。
図１７は、本発明の第２の実施の形態にかかるＦＭトランスミッタ機器検査システムの他の構成を示すブロック図であり、前述した図１と同じまたは同等部分には同一符号を付してある。
【００８２】
図１７の例において、音声信号検出装置５は、専用の音声信号検出回路からなり、切替装置３からの選択音声信号の特徴を検出して元の検査信号Ｓ１〜Ｓ３のいずれであるかを識別する機能と、識別した結果を出力結果として表示する表示部とを有している。
図１８は、検査設定情報の他の構成例である。例えば、図１８に示すように、検査信号Ｓ１〜Ｓ３としてそれぞれ個別の音声周波数１ＫＨｚ，２ＫＨｚ，３ＫＨｚからなる単音信号を用いた場合、音声信号検出装置５で、これら音声周波数を分離するフィルタ回路を用いれば、各検査信号Ｓ１〜Ｓ３を識別して検出することができ、検出した音声周波数あるいはその音声周波数に対応する信号名を出力結果として表示すればよい。
【００８３】
このほか、検査信号Ｓ１〜Ｓ３としてそれぞれ個別の周期でオンオフを繰り返す音声信号を用いた場合、音声信号検出装置５で、これら周期を検出する計時回路を用いれば、各検査信号Ｓ１〜Ｓ３を識別して検出することができ、検出した周期あるいはその音声周波数に対応する信号名を出力結果として表示すればよい。
したがって、切替装置３からの選択音声信号が音声信号検出装置５で自動検出されて、その出力結果が表示されるため、作業者は、音声信号検出装置５で表示されている出力結果を目視にて確認し、その選択音声信号に応じた操作を操作入力部１１で入力すればよい。これにより、切替装置３で選択された選択音声信号を作業者が聴取して識別する必要がなくなり、周囲雑音が存在する環境であっても正確な検査を行うことが可能となる。
【００８４】
［第２の実施の形態］
次に、図１９を参照して、本発明の第２の実施の形態にかかるＦＭトランスミッタ機器検査システムについて説明する。図１９は、本発明の第２の実施の形態にかかるＦＭトランスミッタ機器検査システムの構成を示すブロック図であり、前述した図１と同じまたは同等部分には同一符号を付してある。
【００８５】
前述した図１７では、音声信号検出装置５により切替装置３からの選択音声信号を自動的に識別し、識別した結果を出力結果として表示する場合について説明した。本実施の形態では、音声信号検出装置５からの出力結果を制御装置１で取得する場合について説明する。なお、本実施の形態にかかるＦＭトランスミッタ機器検査システムの構成や動作については、第１の実施の形態と同等であり、ここでの詳細な説明は省略する。
【００８６】
図１９の例では、音声信号検出装置５と制御装置１の入出力部１４とが配線を介して接続されており、音声信号検出装置５からの出力結果が入出力部１４で取得され、検査制御部１５へ出力される。したがって、検査制御部１５は、操作入力部１１から作業者により操作入力される選択音声信号に応じた操作に代えて、入出力部１４で取得された音声信号検出装置５からの出力結果を用いる。
【００８７】
［第２の実施の形態の効果］
このように、本実施の形態は、スピーカ４に代えて音声信号検出装置５を設け、切替装置３で選択された選択音声信号を識別し出力結果として出力するようにしたので、第１の実施の形態のように、切替装置３で選択された選択音声信号を作業者が聴取して識別し、その選択音声信号を示す操作を入力する必要がなくなる。このため、周囲雑音が存在する環境であっても正確な検査を行うことが可能となるとともに、作業者の操作入力負担や操作入力ミスを抑止することができる。
【００８８】
なお、本実施の形態では、切替装置３において、作業者の操作に応じてＦＭ受信器Ｒ０〜Ｒ４から出力されている音声信号のいずれか１つを切替選択する場合を例として説明したが、切替装置３を制御装置１から自動的に切り替えるようにしてもよい。
図２０は、本発明の第２の実施の形態にかかるＦＭトランスミッタ機器検査システムの他の構成を示すブロック図であり、前述した図１９と同じまたは同等部分には同一符号を付してある。
【００８９】
図２０の例では、制御装置１の入出力部１４と切替装置３とが配線を介して接続されており、検査制御部１５からの切替指示が、入出力部１４を介して切替装置３へ出力され、これに応じて切替装置３でＦＭ受信器Ｒ０〜Ｒ４から出力されている音声信号のいずれか１つが切替選択される。この切替指示は、例えば図４のステップ１００，１０３，１０６，１０９，１１２など、表示部１２で出力選択指示を表示する処理に代えて出力すればよい。これにより、作業者の切替操作負担や切替作業ミスを抑止することができる。
【００９０】
したがって、切替装置３での切替操作、および選択音声信号を示す操作入力を自動化することができ、ＦＭトランスミッタ機器検査作業を大幅に自動化できる。このため、検査作業や検査時間を大幅に軽減することが可能となり、このような検査を製造検査時に行う場合には生産性が大幅に向上されるため、製造検査コストを大幅に削減することが可能となる。
【００９１】
［実施の形態の拡張］
以上の各実施の形態では、接続治具２に接続して検査するＦＭトランスミッタ機器が３台の場合を例として説明したが、接続治具２に接続して検査する台数はこれに限定されるものではなく、４台以上を接続して検査してもよい。
この際、４台以上から異なる無線周波数で異なる音声信号を同時に送信してもよいが、同時に送信するＦＭトランスミッタ機器の台数を４台以上とした場合、良否判定処理が複雑化する傾向がある。したがって、接続治具２に４台以上接続して検査する場合は、そのうち３台を組として選択し、その組を順次シフトさせていけば、複雑な良否判定処理を用いることなく検査を実行することができる。
【図面の簡単な説明】
【００９２】
【図１】本発明の第１の実施の形態にかかるＦＭトランスミッタ機器検査システムの構成を示すブロック図である。
【図２】検査設定情報の構成例である。
【図３】ＦＭトランスミッタ機器の一例である音楽再生機器の構成を示すブロック図である。
【図４】本発明の第１の実施の形態にかかるＦＭトランスミッタ機器検査システムのＦＭ送信動作検査処理を示すフローチャートである。
【図５】ＦＭ送信動作検査処理における検査状態を示す説明図である。
【図６】ＦＭ送信動作検査処理における他の検査状態を示す説明図である。
【図７】ＦＭ送信動作検査処理における他の検査状態を示す説明図である。
【図８】ＦＭ送信動作検査処理における他の検査状態を示す説明図である。
【図９】ＦＭ送信動作検査処理における他の検査状態を示す説明図である。
【図１０】本発明の第１の実施の形態にかかるＦＭトランスミッタ機器検査システムのＳ１検査処理を示すフローチャートである。
【図１１】Ｓ１検査処理における検査状態を示す説明図である。
【図１２】本発明の第１の実施の形態にかかるＦＭトランスミッタ機器検査システムのＳ２検査処理を示すフローチャートである。
【図１３】Ｓ２検査処理における検査状態を示す説明図である。
【図１４】本発明の第１の実施の形態にかかるＦＭトランスミッタ機器検査システムのＳ３検査処理を示すフローチャートである。
【図１５】Ｓ３検査処理における検査状態を示す説明図である。
【図１６】本発明の第１の実施の形態にかかるＦＭトランスミッタ機器検査システムの他の構成を示すブロック図である。
【図１７】本発明の第１の実施の形態にかかるＦＭトランスミッタ機器検査システムの他の構成を示すブロック図である。
【図１８】検査設定情報の他の構成例である。
【図１９】本発明の第２の実施の形態にかかるＦＭトランスミッタ機器検査システムの構成を示すブロック図である。
【図２０】本発明の第２の実施の形態にかかるＦＭトランスミッタ機器検査システムの他の構成を示すブロック図である。
【符号の説明】
【００９３】
１…制御装置、１１…操作入力部、１２…表示部、１３…記憶部、１４…入出力部、１５…検査制御部、２…接続治具、２１…コネクタ、３…切替装置、４…スピーカ、５…音声信号検出装置、６…音声再生装置、６１…ＦＭトランスミッタ、６２…音声処理部、６３…音声出力部、６４…画面表示部、６５…操作部、６６…記憶部、６７…データ通信部、６８…制御部、Ｔ１〜Ｔ３…ＦＭトランスミッタ機器、Ｒ０〜Ｒ４…ＦＭ受信器。
【図１】
2008172308.tif 000003
【図２】
2008172308.tif 000004
【図３】
2008172308.tif 000005
【図４】
2008172308.tif 000006
【図５】
2008172308.tif 000007
【図６】
2008172308.tif 000008
【図７】
2008172308.tif 000009
【図８】
2008172308.tif 000010
【図９】
2008172308.tif 000011
【図１０】
2008172308.tif 000012
【図１１】
2008172308.tif 000013
【図１２】
2008172308.tif 000014
【図１３】
2008172308.tif 000015
【図１４】
2008172308.tif 000016
【図１５】
2008172308.tif 000017
【図１６】
2008172308.tif 000018
【図１７】
2008172308.tif 000019
【図１８】
2008172308.tif 000020
【図１９】
2008172308.tif 000021
【図２０】
2008172308.tif 000022